(57)【要約】【課題】個人の人体形状を扱う型は、石膏流し込み、切削によったが、切削時間、保存場所、廃棄にも困っていたこれを解消するには、展開組み立て式とし、個人の体に合わせ展開組み立て式の展開図を生成する展開組み立て式人体形状モデル型ＣＡＤを作ることである。【解決手段】本発明は、始めに、展開すれば平面となる曲面や平面で構成された基本モデルを用意し、其々の面を三角形ポリゴンの集合平面とし、平面化し、組み合わせ、展開組み立て式の展開図を生成出来る。組み立てあがりの状態と同じ基本モデル形状のポリゴンを個々人の体形に合わせて変形すると、展開図も追従して変化するので、体形に合わせた展開組み立て式人体形状モデル型展開図が瞬時に得られる。【選択図】    図５
2004171081.tif 000002
【特許請求の範囲】
【請求項１】
ＣＡＤ上に人体形状の特徴点と関連付けられた特徴点を持ち、特徴点と特徴点を結ぶ曲線で形状を制御出来る立体の基本モデル型を持ち、基本モデル型の面は、特徴点同士、特徴点と曲線の分割点、向かい合う特徴点を結ぶ曲線の分割点を交互に結び合ってできる平面展開可能なポリゴン面（図３）で構成する。そのポリゴンを平面展開し、隣り合うポリゴンの共通する辺同士で繋ぎ合わせ平面ポリゴン面とし、組み立てやすく連ねた展開図を持たせ、体形の計測結果、基本形を決定するパラメーターを入力することにより、基本モデル型を変化させると、各面の形状変化に連携して変化し、立体モデルを形作ることの出来る展開図を生成させることによる展開組み立て式人体形状モデル型製造法。
【発明の詳細な説明】
【０００１】
【発明が属する技術分野】
本発明は、個人の人体形状、姿勢に合わせた製品の立体のモデル型を展開組み立て式の展開図を出力するＣＡＤに関する。
【０００２】
【従来の技術】
従来、人体形状は複雑な曲面が多く、石膏で型を取ってさらに石膏を型の中に流し込んでいた。特に靴型は木型や、プラスティク、金属であり、フルオーダーで作るには切削によっていた。立体の切削時間は非常に時間、コストがかかり、光造形、積層して造形する方法もあったが、保管場所を必要とし、排出する、切削ゴミ、いらなくなった本体の廃棄が大変だった
【０００３】
【発明が解決しようとする課題】
解決しようとする問題は、複雑な曲面に覆われた人体形状に基づく製品立体のモデル型を、単純な曲面、平面で構成したモデル型で、板材加工の出来る展開組み立て式モデル型に置き換え、体形、対象となる製品としての必要なパラメータを入力すると瞬時にその展開図を出力するし、体形にあった展開組み立て式人体形状モデル型を作れるようにすることである。
【０００４】
【課題を解決するための手段】
本発明は、始めに、体形の特徴点（１）と製品の特徴点（２）をゆとりや材質の伸びを取り入れて関連付け、特徴点と特徴点を結ぶ制御可能な曲線で形状を制御出来る立体の基本モデル型（図５）を用意する。モデル型の面は、面と面の曲線上の分割点を共有し、特徴点同士、特徴点と曲線の分割点（６）、向かい合う特徴点を結ぶの分割点を交互に結び合ってできるポリゴン（７）で構成する。それにより面が展開されても隙間なく、立体に組み立つ。三角形ポリゴンは頂点の座標値から、辺の長さ、其々の角度を求め、２次元の三角形としての座標値を持つことが出来る。同じ集合の隣り合う三次元ポリゴンで互いに共有しあう頂点同士を平面上で順次に共有する頂点へ座標移動、連結し、ポリゴングループ展開面を生成出来る（図３）。その平面展開面ブロックを全体展開図として、重なり合たり不具合がないように組み立て、選択された共有する頂点を結合し合いながら、ブロックごとに座標移動し、基本となる展開図を作る。実際の型を紙などで板加工して使用可能にするための糊代、差込を設け、展開組み立て式人体形状モデル型展開図（図５）とする。出来上がりの状態と同じ基本モデル形状のポリゴンを個々人の体に合わせて変形すると、同時に展開図も追従して変化するので、個人の体に合わせた展開組み立て式人体形状モデル型が瞬時に得られる。
【０００５】
【発明の実施の形態】
人体形状に関するモデル型であれば、ドレスマネキン、骨折部の固定型、装具の型、手袋、帽子など、様々な型を、展開組み立て式人体形状モデル型に出来るが、最も板紙では出来ないとされていた靴型に関して実施してみた。靴の展開可能な曲面（３）や平面で構成した立体基本モデル（図６）を用意し、曲面ごと、三角形ポリゴン同士、グループ化（図４）し、其々の平面展開ブロックを組み立てやすく靴型底部（７）、靴型上部（８）に分けて結合し、靴型を組み立てるのに必要な折り線（１４）、糊代（９）、差込ベロ（１０）、差し込み穴（１１）などを付け、さらに中底取り付け穴（１２）など靴型としての必要な機能を付加し、展開組み立て靴型展開図とする。
【０００６】
【実施例】
図６は基本モデルの靴型で展開組み立て式靴型が組み立ったときの形であり、図５はその形体に合わせて展開された展開組み立て式靴型の展開図である。
【０００７】
【発明の効果】
展開図に対する知識を必要とせず、製品の種類を選択し、足の測定結果や、ヒールの高さなど入力すれば、フルオーダーメードの靴であっても一人一人の足に合わせて、靴型の展開図を瞬時に得ることが出来るので、板紙などの板材を切り組み立て、底付けの時、必要であれば、中に詰め物を充填すれば、安価に靴型を作る事が出来るようになった。元々、展開による靴型なので、それに基づき甲革の展開図面を引き出すのに容易であり、直接その上にデザインを書き、切りぬいて靴の甲革のデザインになるのでモックアップにも使える。保管にも場所をとらず、紙であれば。廃棄も簡単である。
【図面の簡単な説明】
【図１】足の特徴点と製品である靴の特徴点との関係を示した説明図である。
【図２】特徴点と曲線の分割点と面の関係を示した説明図である。
【図３】平面展開可能な曲面のポリゴン面
【図４】平面化されたポリゴングループの展開面の種類を示した説明図である。
【図５】図３に基づき組み立てやすく組み合わせられた、展開組み立て式靴のモデル型の実施例を示した説明図である。
【図６】ポリゴン状の立体基本モデル型の実施形状を示した説明図である。
【符号の説明】
１  足
２  立体の基本モデル型
３  人体形状の特徴点
４  製品の特徴点
５  制御曲線
６  分割点
７  靴型底部
８  靴型上部
９  貼り代
１０  差込ベロ
１１  差し込み穴
１２  中底取り付け穴
１３  切り線
１４  折り線
【図１】
2004171081.tif 000003
【図２】
2004171081.tif 000004
【図３】
2004171081.tif 000005
【図４】
2004171081.tif 000006
【図５】
2004171081.tif 000007
【図６】
2004171081.tif 000008
【手続補正書】
【提出日】平成14年11月20日(2002.11.20)
【手続補正１】
【補正対象書類名】明細書
【補正対象項目名】０００４
【補正方法】変更
【補正の内容】
【０００４】
【課題を解決するための手段】
本発明は、始めに、体形の特徴点（１）と製品の特徴点（２）をゆとりや材質の伸びを取り入れて関連付け、特徴点と特徴点を結ぶ制御可能な曲線で形状を制御出来る立体の基本モデル型（図６）を用意する。モデル型の面は、面と面の曲線上の分割点を共有し、特徴点同士、特徴点と曲線の分割点（７）、向かい合う特徴点を結ぶの分割点を交互に結び合ってできるポリゴン（６）で構成する。それにより面が展開されても隙間なく、立体に組み立つ。三角形ポリゴンは頂点の座標値から、辺の長さ、其々の角度を求め、２次元の三角形としての座標値を持つことが出来る。同じ集合の隣り合う三次元ポリゴンで互いに共有しあう頂点同士を平面上で順次に共有する頂点へ座標移動、連結し、ポリゴングループ展開面を生成出来る（図３）。その平面展開面ブロックを全体展開図として、重なり合たり不具合がないように組み立て、選択された共有する頂点を結合し合いながら、ブロックごとに座標移動し、基本となる展開図を作る。実際の型を紙などで板加工して使用可能にするための糊代、差込を設け、展開組み立て式人体形状モデル型展開図（図５）とする。出来上がりの状態と同じ基本モデル形状のポリゴンを個々人の体に合わせて変形すると、同時に展開図も追従して変化するので、個人の体に合わせた展開組み立て式人体形状モデル型が瞬時に得られる。


【手続補正２】
【補正対象書類名】明細書
【補正対象項目名】０００５
【補正方法】変更
【補正の内容】
【０００５】
【発明の実施の形態】
人体形状に関するモデル型であれば、ドレスマネキン、骨折部の固定型、装具の型、手袋、帽子など、様々な型を、展開組み立て式人体形状モデル型に出来るが、最も板紙では出来ないとされていた靴型に関して実施してみた。靴の展開可能な曲面（図３）や平面で構成した立体基本モデル（図６）を用意し、曲面ごと、三角形ポリゴン同士、グループ化（図４）し、其々の平面展開ブロックを組み立てやすく靴型底部、靴型上部に分けて結合し、靴型を組み立てるのに必要な折り線（１４）、糊代（９）、差込ベロ（１０）、差し込み穴（１１）などを付け、さらに中底取り付け穴（１２）など靴型としての必要な機能を付加し、展開組み立て靴型展開図とする。


【手続補正３】
【補正対象書類名】明細書
【補正対象項目名】符号の説明
【補正方法】変更
【補正の内容】
【符号の説明】
１  足
２  立体の基本モデル型
３  人体形状の特徴点
４  製品の特徴点
５  制御曲線
６  ポリゴン
７  分割点
８  展開図
９  貼り代
１０  差込ベロ
１１  差し込み穴
１２  中底取り付け穴
１３  切り線
１４  折り線


【手続補正４】
【補正対象書類名】図面
【補正対象項目名】図５
【補正方法】変更
【補正の内容】
【図５】
2004171081.tif 000009